(57)【要約】【課題】給湯器を接続するタイプの洗濯機において、水温センサー等の部品を使うことなく、安価に衣類や洗濯槽内の部品に直接熱い湯水が触れることを防ぐ洗濯機を実現する。【解決手段】衣類を収容する洗濯槽３と、洗濯槽３を内包する外槽２と、外槽２に水を供給する水道側電磁給水弁７と、外槽２に加熱された水を供給する給湯側電磁給水弁８と、外槽２内の水位を検知する水位センサー１５とを備え、水道側電磁給水弁７を開き前記水位が第１の水位に到達すると、水道側電磁給水弁７を閉止し、給湯側電磁給水弁８を開いて水位が第２の水位に到達するまで給水を行うようにした洗濯機である。【選択図】図１
2015023898.tif 000002
【特許請求の範囲】
【請求項１】
衣類を収容する洗濯槽と、
前記洗濯槽を内包する外槽と、
前記外槽に水を供給する第１の給水弁と、
前記外槽に加熱された水を供給する第２の給水弁と、
前記外槽内の水位を検知する水位検知手段とを備え、
前記第１の給水弁を開き前記水位が第１の水位に到達すると、前記第１の給水弁を閉止し、
前記第２の給水弁を開いて前記水位が第２の水位に到達するまで給水を行うようにした洗濯機。
【請求項２】
前記外槽内の水温を設定ずる温度設定手段を更に備え、
前記温度設定手段によって設定された水温に応じて、前記第１の水位を変更するようにした請求項１に記載の洗濯機。
【発明の詳細な説明】
【技術分野】
【０００１】
本発明は、給湯器などより湯水を供給して衣類などの洗濯を行う洗濯機に関するものである。
【背景技術】
【０００２】
近年、衣類を傷めずに洗浄効果を高めるために、洗濯槽内にお湯を入れて洗濯を行うことが多く行われてくるようになってきた。従来、この種の洗濯機は、洗濯機に２個の電磁給水弁を配設し、１個は水道側電磁給水弁として水道蛇口に連結し、もう１個は給湯側電磁給水弁として給湯器と接続していた（例えば、特許文献１参照）。
【０００３】
上記構成において、温水設定コースを使用しない場合またはすすぎの場合は水道側電磁給水弁のみを使用し、低めの温水設定コースを使用する場合は水道側電磁給水弁と給湯側電磁給水弁とを同時に開放し、また高めの熱水設定コースを使用する場合は給湯側電磁給水弁のみ開放するといったように、それぞれの電磁給水弁の開放する組合せによって大まかな湯温設定されているものが一般的である。そのため、接続する給湯器の水温や流量、水道の水温や流量などに依存して、洗濯槽内に貯まる水温が決まってしまうものが主であった。
【先行技術文献】
【特許文献】
【０００４】
【特許文献１】特開平４−０３５６９０号公報
【発明の概要】
【発明が解決しようとする課題】
【０００５】
しかしながら、このような従来の洗濯機では、洗濯機の外部から湯水を供給する構成のため、接続する給湯器の温度設定を高く設定された場合や、温度設定のできない給湯器を接続された場合は、熱水が直接衣類にかかることで衣類にダメージを与えたり、洗濯槽の中に入った熱水が洗濯機本体にダメージを与えるという問題があった。
【０００６】
本発明は、上記従来の課題を解決するもので、まず水道水を給水し、湯水に必ず一定量の水を混ぜるように水位センサーの出力値を使って電磁給水弁を制御することで衣類に熱水が直接かかったり、洗濯機本体に熱水が入ることのない洗濯機を、水温センサー等使うことなしに安価に提供することを目的としている。
【課題を解決するための手段】
【０００７】
本発明は上記目的を達成するために、衣類を収容する洗濯槽と、前記洗濯槽を内包する外槽と、前記外槽に水を供給する第１の給水弁と、前記外槽に加熱された水を供給する第２の給水弁と、前記外槽内の水位を検知する水位検知手段とを備え、前記第１の給水弁を開き前記水位が第１の水位に到達すると、前記第１の給水弁を閉止し、前記第２の給水弁を開いて前記水位が第２の水位に到達するまで給水を行うようにしたものである。
【０００８】
これにより、まず水道水で衣類を冷やした後に湯水を給水するため、衣類へのダメージを抑えることができる。また、水道、給湯器の流量に依存せず、たとえば水道水の水栓を絞られた場合などにも、湯水と水道水をある一定の割合で混ぜることができるため、混合後の水温は、水温センサー等使うことなしに、ある一定の水温以下に抑えることができ、衣類、本体へのダメージを抑えることができる。
【発明の効果】
【０００９】
本発明の洗濯機は、簡単な構成で洗濯水の温度を調節できるだけでなく、布傷みや故障を防止することができる。
【図面の簡単な説明】
【００１０】
【図１】本発明の実施の形態１の洗濯機の断面図
【図２】同洗濯機の斜視図
【図３】同洗濯機の操作部の拡大正面図
【図４】同洗濯機の制御ブロック図
【図５】同洗濯機の動作フローチャート
【発明を実施するための形態】
【００１１】
第１の発明は、衣類を収容する洗濯槽と、前記洗濯槽を内包する外槽と、前記外槽に水を供給する第１の給水弁と、前記外槽に加熱された水を供給する第２の給水弁と、前記外槽内の水位を検知する水位検知手段とを備え、前記第１の給水弁を開き前記水位が第１の水位に到達すると、前記第１の給水弁を閉止し、前記第２の給水弁を開いて前記水位が第２の水位に到達するまで給水を行うようにしたことにより、高温の水が衣類や部品に直接かからないので、布傷みや故障を防止することができる。
【００１２】
第２の発明は、特に、第１の発明の洗濯機において、前記外槽内の水温を設定ずる温度設定手段を更に備え、前記温度設定手段によって設定された水温に応じて、前記第１の水位を変更するようにしたことにより、湯水にある一定の割合で水道水を混ぜることができるため、水温センサー等の部品を使うことなく、簡単な構成で洗濯水の温度を調節することができる。
【００１３】
以下、本発明の実施の形態について、図面を参照しながら説明する。なお、従来例と同じ構成のものは同一符号を付して説明を省略する。また、この実施の形態によって本発明が限定されるものではない。
【００１４】
（実施の形態１）
図１は本発明の実施の形態１における電気洗濯機の断面図、図２は同電気洗濯機の斜視図、図３は同洗濯機の操作部の拡大正面図、図４は同洗濯機の制御ブロック図、図５は同洗濯機の動作フローチャートである。
【００１５】
図１および図２において、図に示すように、洗濯機本体１内に外槽２を配設し、さらに外槽２内に洗濯槽３を配設し、外槽２の底部の排水口４に排水弁５を装着している。洗濯機本体１の後上方のパネル箱６には水道側電磁給水弁（第１の給水弁）７および給湯側電磁給水弁（第２の給水弁）８を設け、それぞれ水道用給水ホース９および給湯用給水ホース１０を介して水道蛇口および給湯器（図示せず）に連結し、水道側電磁給水弁７及び給湯側電磁給水弁８はそれぞれ洗濯槽３の上方に設けた給水口１１に連通している。このように、外槽に水を供給する第１の給水弁は、水道側電磁給水弁７で例示され、外槽に加熱された水を供給する第２の給水弁は、給湯側電磁給水弁８で例示される。
【００１６】
外槽２の底部には、エアートラップ部１４を設け、このエアートラップ部１４を介して水位センサー（水位検知手段）１５を装着している。また、洗濯機本体１の前部には図３に示すように操作パネル１６を設け、スタートスイッチ（キースイッチ）１７、湯温切替スイッチ（キースイッチ）１８などを設けている。使用者は、湯温切替スイッチ１８を操作することで、洗濯水の温度を１０〜３５度程度の低温にするか、３５〜６０度程度の高温にするかを設定できる。このように、外槽内の水温を設定ずる温度設定手段は、湯温切替スイッチ１８で例示される。
【００１７】
また、操作パネル１６には、洗濯物の量に応じて、使用者が外槽内の水位を設定する水位設定スイッチ５１を設けている。水位設定スイッチ５１によって設定された水位は、第２の水位として例示される。
【００１８】
図４に示すようにマイクロコンピュータよりなる信号制御手段１９は、水位センサー１５の出力を入力し、所定のプログラムに基づいて、駆動手段２０を介して水道側電磁給水弁７と給湯側電磁給水弁８および表示ランプ２１を駆動させるものである。温水行程においてまず、信号制御手段１９は、水位設定スイッチ５１によって指示された第２の水位と、湯温切替スイッチ（キースイッチ）１８で選んだ水温の高めと低めの設定に応じて、水道側電磁給水弁７を開いて給水を行う第１の水位を決定する。
【００１９】
次に、信号制御手段１９は、水道側電磁給水弁７をオンし、第１の水位に水位センサー１５からの入力が達すると、水道側電磁給水弁７をオフして給湯側電磁給水弁８をオンし、第２の水位まで湯水の給水を行うようにしている。
【００２０】
上記構成において図５を参照しながら動作を説明すると、まず、給水工程に入ると、ステップ２２で水道側電磁給水弁７をオンし、ステップ２３にて湯温の設定を確認。高めの温度設定の場合はステップ２５にすすみ、低めの温度設定の場合は３５に進む。その後は温度設定に応じたステップを進む。高めの温度設定の場合で説明すると、ステップ２５で水位センサー１５の水位を検知し、ステップ２７で最終的な設定水位の１／３以上の水位に到達するか監視を繰り返す。その途中、給水開始からの経過時間がある一定の時間以上経過してしまった場合は、水道側電磁給水弁７にホースが接続されていないか、水栓が閉じられている等の可能性あるため異常を報知する。ステップ２７で最終的な設定水位の１／３以上の水位に到達した場合は、１／３の割合で水道水が洗濯槽内に満たされたとみなし、ステップ２８の水道側電磁給水弁７をオフし、給湯側電磁給水弁８をオンに切り替える。湯水を給水し、最終的な水位まで到達すれば、給水工程は終了し、次工程へ移る。
【００２１】
これにより、まず水道水で衣類を冷やした後に湯水を給水するため、衣類へのダメージを抑えることができる。
【００２２】
例えば、高めの温度設定の場合には、水道、給湯器の流量に依存せずに湯水と水道水を２対１の割合で混ぜることができるため、水道水の水温を１０度と仮定すると、８５度の給湯器を接続されても、水温センサー等の部品を使うことなく、洗濯槽の中の水温を約６０度以下に抑えることができる。これにより、衣類や洗濯槽内の部品に直接熱い湯水が触れることを防止でき、布傷みや故障を防止することができる。
【００２３】
また、低めの温度設定の場合には、水道、給湯器の流量に依存せずに湯水と水道水を１対２の割合で混ぜることができるため、水道水の水温を１０度と仮定すると、８５度の給湯器を接続されると洗濯槽の中の水温を約３５度以下に抑えることができる。このように、水温センサーを用いることなく水温を調節することができ、簡単な構成で安価に実現することができる。
【００２４】
このように、操作パネルのキースイッチにより温水行程を選択実行した場合、まず水道側電磁給水弁をオンして水道水を給水する。水位検知手段により一定時間内に水位が増加しない場合は、行程を一時停止して表示ランプ等に異常表示することにより、水道水が一定量給水できていないことを報知できる。水位が一定の水位に達した場合は、水道側電磁給水弁をオフして給湯側電磁給水弁をオンし、設定された水位まで給水を行うことで、湯水にある一定の割合で水道水を混ぜることができるため、水温センサー等の部品を使うことなく、安価に衣類や洗濯槽内の部品に直接熱い湯水が触れることを防ぐ構成が実現でき
る。
【産業上の利用可能性】
【００２５】
以上のように、本発明にかかる洗濯機は、湯水にある一定の割合で水道水を混ぜることができるため、水温センサー等の部品を使うことなく、安価に衣類や洗濯槽内の部品に直接熱い湯水が触れることを防ぐ構成が可能となるので、給湯器などより湯水を供給して衣類などの洗濯を行う洗濯機等として有用である。
【符号の説明】
【００２６】
１  洗濯機本体
２  外槽
３  洗濯槽
７  水道側電磁給水弁（第１の給水弁）
８  給湯側電磁給水弁（第２の給水弁）
１５  水位センサー（水位検知手段）
１６  操作パネル
１７  スタートスイッチ（キースイッチ）
１８  湯温切替スイッチ（キースイッチ）
１９  信号制御手段
２１  表示ランプ
【図１】
2015023898.tif 000003
【図２】
2015023898.tif 000004
【図３】
2015023898.tif 000005
【図４】
2015023898.tif 000006
【図５】
2015023898.tif 000007